(57)【要約】【課題】補助吸収具から溢れた尿を効率良く検知することのできる使い捨ておむつを提供すること。【解決手段】表面シート、裏面シート及びこれら両シート間に位置する縦長の吸収性コアを備えた使い捨ておむつであって、股下部Ｃにおける吸収性コア４の両側縁４１，４１間の領域を、該吸収性コアの幅の長さの各々１／３を占める中央領域Ｍと一対の側部領域とに区分したときの該各側部領域Ｓ，Ｓに第１の弾性部材６が配設されており、該吸収性コアの両側縁それぞれの外方に第２の弾性部材７が配設されており、使い捨ておむつの両側それぞれにおける、第１の弾性部材６と吸収性コアの側縁４１との間の領域Ｒ１に尿検知剤８が配されており、第１及び第２の弾性部材６，７並びに尿検知剤８は、各々吸収性コアの長手方向に沿って配されており且つ股下部Ｃの全長に亘って互いに交差していない。【選択図】図２
2007267942.tif 000002
【特許請求の範囲】
【請求項１】
表面シート、裏面シート及びこれら両シート間に位置する縦長の吸収性コアを備えた使い捨ておむつであって、
股下部における前記吸収性コアの両側縁間の領域を、該吸収性コアの幅の長さの各々１／３を占める中央領域と一対の側部領域とに区分したときの該各側部領域に第１の弾性部材が配設されており、該吸収性コアの両側縁それぞれの外方に第２の弾性部材が配設されており、
前記使い捨ておむつの両側それぞれにおける、第１の弾性部材と前記吸収性コアの側縁との間の領域に尿検知剤が配されており、
第１及び第２の弾性部材並びに前記尿検知剤は、各々前記吸収性コアの長手方向に沿って配されており且つ股下部の全長に亘って互いに交差していない使い捨ておむつ。
【請求項２】
股下部の幅方向において、前記尿検知剤と第１及び第２の弾性部材それぞれとの間の離間距離が５〜５０ｍｍである請求項１記載の使い捨ておむつ。
【請求項３】
前記吸収性コアは、前記使い捨ておむつの両側それぞれに欠落部を有し、前記第１の弾性部材は、該欠落部の位置に配設されている請求項１又は２記載の使い捨ておむつ。
【請求項４】
股下部の幅方向における、第１の弾性部材同士間の領域に中央部尿検知剤が配されており、前記中央領域における前記吸収性コアに高吸水性ポリマーが配されており、前記両側部領域それぞれにおける第１の弾性部材の配設位置より外方には高吸水性ポリマーが配されていないか又は該中央領域より低坪量となるように高吸水性ポリマーが配されている請求項１〜３の何れかに記載の使い捨ておむつ。
【請求項５】
股下部の幅方向における、第１の弾性部材同士間の領域に中央部尿検知剤が線状に複数本配されており、第１の弾性部材と前記吸収性コアの側縁との間の領域に配された前記尿検知剤と、該中央部尿検知剤との間の離間距離が６０ｍｍ以内であり、且つ第１の弾性部材と前記吸収性コアの側縁との間の領域に配された尿検知剤と、該吸収性コアの該側縁との間の離間距離が６０ｍｍ以内である請求項１〜４の何れかに記載の使い捨ておむつ。
【発明の詳細な説明】
【技術分野】
【０００１】
本発明は、使い捨ておむつに関する。
【背景技術】
【０００２】
従来、排尿によって濡れたことを知らせる機能を有する使い捨ておむつが種々提案されている。例えば、特許文献１には、裏面シート内側の周縁部の少なくとも一部に、排泄物を検知する手段を配置した使い捨ておむつが記載されている。
また、使い捨ておむつ、特に成人用の使い捨ておむつにおいては、おむつの交換に伴う経済的・労力的な負担を軽減するため、使い捨ておむつの内表面上に尿吸収パッド等の補助吸収具を載置し、使い捨ておむつを該補助吸収具と共に着用する（させる）ことが多くなっている。
【０００３】
【特許文献１】特開２００３−１９０２０９号公報
【発明の開示】
【発明が解決しようとする課題】
【０００４】
しかし、使い捨ておむつの使用時に補助吸収具を併用する場合、使い捨ておむつの股下部における幅方向中央部に尿検知剤を配置したのでは、補助吸収具に覆われて、尿検知剤が機能しない場合がある。他方、股下部の幅方向両側部に尿検知剤を配置した場合においては、図６に示すように、一般的な構成のおむつでは、おむつの股下部が、脚周りに配された弾性部材７’の収縮力によって幅方向に縮んでしまい、その幅が補助吸収具１３の幅と略同じとなって、補助吸収具から溢れた尿を検知することができない。
従って、本発明の目的は、補助吸収具から溢れた尿を効率良く検知することのできる使い捨ておむつを提供することにある。
【課題を解決するための手段】
【０００５】
本発明は、表面シート、裏面シート及びこれら両シート間に位置する縦長の吸収性コアを備えた使い捨ておむつであって、股下部における前記吸収性コアの両側縁間の領域を、該吸収性コアの幅の長さの各々１／３を占める中央領域と一対の側部領域とに区分したときの該各側部領域に第１の弾性部材が配設されており、該吸収性コアの両側縁それぞれの外方に第２の弾性部材が配設されており、前記使い捨ておむつの両側それぞれにおける、第１の弾性部材と前記吸収性コアの側縁との間の領域に尿検知剤が配されており、第１及び第２の弾性部材並びに前記尿検知剤は、各々前記吸収性コアの長手方向に沿って配されており且つ股下部の全長に亘って互いに交差していない使い捨ておむつを提供することにより、上記目的を達成したものである。
【発明の効果】
【０００６】
本発明の使い捨ておむつによれば、補助吸収具から溢れた尿を効率良く検知することができる。
【発明を実施するための最良の形態】
【０００７】
以下、本発明をその好ましい実施形態に基づいて説明する。
本実施形態の使い捨ておむつ１（以下、おむつ１ともいう）は、いわゆる展開型のおむつであり、図１及び図２に示すように、液透過性の表面シート２、液不透過性の裏面シート３及びこれら両シート２、３間に位置する液保持性の吸収性コア４を備え、実質的に縦長に形成されている。液透過性は、難透過性を含む概念である。
おむつ１における、着用時に着用者の背側に配される背側部Ａの両側縁部には、ファスニングテープ５０が設けられ、着用時に着用者の腹側に配される腹側部Ｂの外表面には、これらのファスニングテープ５０を脱着自在に止着可能なランディングゾーン５１が設けられている。
【０００８】
おむつ１は、その外形が、長手方向の中央部が幅狭に括れた砂時計状の形状を有している。股下部Ｃの両側縁は、おむつ１の長手方向における股下部Ｃの略全長に亘って互いに平行である。
吸収性コア４は、略長方形状の外形を有し、その内表面側には、長方形状の表面シート２が配され、その外表面側には、おむつ外形と同形状の裏面シート３が配されている。吸収性コア４の表面シート２側の面は液透過性の被覆材４６で被覆され、吸収性コア４の裏面シート３側の面も液透過性の被覆材４２で被覆されている。
表面シート２の両側縁は、吸収性コア４の両側縁４１，４１に沿ってその若干外方に位置しており、疎水性のシート材５が、表面シート２及び裏面シート３に跨るように配されて、両シート２，３上に接合されている。尚、図１においては、表面シート２とシート材５の境界線の図示を省略してある。
【０００９】
本実施形態のおむつ１においては、股下部Ｃにおける吸収性コア４の両側縁４１，４１間の領域を、該吸収性コアの幅の長さＷの各々１／３を占める中央領域Ｍと一対の側部領域Ｓ，Ｓとに区分したときの該各側部領域Ｓ，Ｓに第１の弾性部材６，６が配設されており、該吸収性コアの両側縁４１，４１それぞれの外方に第２の弾性部材７，７が配設されている。
ここで、股下部Ｃとは、図１に示すように、使い捨ておむつを緊張させた状態（各部の弾性部材を伸長させた状態，以下、おむつ緊張状態という）下において、おむつ１の長手方向の全長Ｌを３等分して３つの領域に区分したときの中央の領域である。また、吸収性コア４の幅の長さＷは、おむつ緊張状態下における吸収性コア４の幅の長さＷである。吸収性コア４の幅の長さＷが、股下部Ｃの長手方向において均一でない場合には、股下部Ｃにおいて、吸収性コアの両側縁同士が最も近づいた部分の幅をＷとし、図５に示すように、該幅の長さＷの１／３を占める中央の領域を中央領域Ｍとし、該中央領域Ｍの両側縁それぞれから吸収性コア４の側縁４１までの領域を側部領域Ｓ，Ｓとする。また、吸収性コアの一部又は全体がおむつ幅方向に分割されている場合には、幅方向の最も外側に位置する部分の外側縁を、吸収性コアの側縁４１とする。
【００１０】
第１の弾性部材６は、おむつ１の両側それぞれに３本ずつ配されており、それぞれおむつ長手方向中央線（長手方向に延びる中央線，図示せず）と平行に配されている。第２の弾性部材７は、おむつ１の両側それぞれに２本ずつ配されており、それぞれおむつ長手方向中央線（長手方向に延びる中央線）と平行に配されている。第１の弾性部材６は、主として、おむつ１の着用時に、吸収性コア４を該弾性部材６の配設位置で屈曲させることを目的とするものであり、長手方向に伸長させた状態で、被覆材４２と裏面シート３との間に接着剤(図示せず)を介して固定されている。第２の弾性部材７は、主として、おむつ１の着用時におむつの側縁部を着用者の脚周りに密着させることを目的とするものであり、長手方向に伸長させた状態で、疎水性のシート材５と裏面シート３との間に接着剤(図示せず)を介して固定されている。
【００１１】
本実施形態のおむつ１においては、おむつ１の両側それぞれにおける、第１の弾性部材６と吸収性コアの側縁４１との間の領域Ｒ１に尿検知剤８が線状に配されている。
尿検知剤は、尿と接触することにより視覚的に視認し得る変化を生じるものである。尿検知剤としては、水分と接触することによって視覚的に変化する物質（以下、変色物質という）を含む親水性の組成物が好ましく用いられる。
【００１２】
視覚的に視認し得る変化としては、水分との接触の前後で色が変化する場合、水分との接触で色が消失する場合、水分との接触で色が現れる場合及びこれらの場合を二以上組み合わせた場合が挙げられる。これらの中でも、水分との接触の前後で色が変化するものが好ましい。上述した変色物質としてはｐＨ指示薬等が挙げられる。ｐＨ指示薬は、尿との接触の前後で色が変化するものを用いることが好ましい。例えばブロモフェノールブルー、メチルオレンジ、アリザンＳ、ブロモクレゾールグリーン、メチルレッド、ブロモクレゾールパープル、レザズリン等のｐＨが３〜７で変色するものが好ましい。
【００１３】
尿検知剤は、水分と接触するまでは、裏面シート３及び／又は被覆材４２の表面に安定に固定化されている好ましい。固定化する方法としては、尿検知剤を、変色物質と粘着性物質（粘着成分）とを混合した組成物として裏面シート３又は被覆材４２の表面に塗布する方法が簡便かつ確実である。粘着性物質としては、変色物質との相溶性の点から親水性を有するものが好ましい。そのような物質としては、例えば、ポリエチレングリコール（ＰＥＧ）、ポリプロピレングリコール（ＰＰＧ）、ポリビニルアルコール（ＰＶＡ）、ポリアミド、ビニルピロリドンホモポリマー等が挙げられる。これら親水性のポリマーはその数平均分子量が、１０００〜５００００、特に２０００〜２００００であることが、確実な固定化を与える点から好ましい。
【００１４】
本実施形態のおむつ１における尿検知剤８は、図２に示すように、吸収性コア４を被覆する前記被覆材４２と該裏面シート３との間に配されている。より具体的には、粘着性物質にｐＨ指示薬（例えばブロモフェノールブルー）等を混合したホットメルト組成物からなる尿検知剤を、裏面シート３の吸収性コア４側の面に塗工し、尿検知剤の塗工面上に、吸収性コア４の裏面シート３側の面が被覆材４２に覆われてなる吸収体を載置してある。
【００１５】
本実施形態のおむつ１おける尿検知剤８は、おむつ１の両側それぞれに３本ずつ配されており、それぞれ、おむつ長手方向中央線（長手方向に延びる中央線）と平行に延びるように直線状に配されている。それら３本の尿検知剤８，８・は、おむつの背側部Ａ、股下部Ｃ及び腹側部Ｂにわたっている。また、それら３本の尿検知剤８，８・は、おむつ幅方向に所定間隔をおいて並列している。本実施形態のおむつ１における尿検知剤８それぞれの幅は０．５〜８ｍｍ程度であり、１〜３ｍｍ程度であることが好ましい。
【００１６】
本実施形態のおむつ１において、第１及び第２の弾性部材６，７並びに尿検知剤８は、図１に示すように、各々吸収性コア４の長手方向に沿って配されており且つ股下部Ｃの全長に亘って互いに交差していない。即ち、おむつ１の股下部Ｃにおいて、第１の弾性部材６と尿検知剤８とが交差しておらず、第２の弾性部材７と尿検知剤８とが交差しておらず、第１の弾性部材６と第２の弾性部材７とが交差していない。本実施形態における第１及び第２の弾性部材６，７並びに尿検知剤８は、おむつ長手方向中央線（長手方向に延びる中央線）と平行に配されており、股下部Ｃ並びにその前後の背側部Ａ及び腹側部Ｂにおいても互いに交差していない。尚、本実施形態のおむつ１のように、おむつの両側それぞれに第１の弾性部材６や第２の弾性部材７が複数本配されている場合、左右の同じ側の第１の弾性部材同士や左右の同じ側の第２の弾性部材同士は交差していても良い。また、尿検知剤８も同様であり、おむつの両側それぞれに尿検知剤８が線状に複数本配されている場合、左右の同じ側の尿検知剤８同士は交差していても良い。尿検知剤８は長手方向に連続である必要は無く、離間されて複数配置してあっても良い。
【００１７】
本実施形態のおむつ１は、補助吸収具を併用せずに単独で使用することもできるが、図３に示すように、尿吸収パッド等の補助吸収具１３を、中央領域Ｍにおける表面シート２側の面上に載置し、該補助吸収具と共に着用者１１に着用する（させる）こともできる。尚、図３及び図４中の符号１２は、着用者の鼠蹊部の位置を示している。
【００１８】
本実施形態のおむつ１によれば、補助吸収具１３を併用しておむつを着用した（させた）場合、図４に示すように、第１の弾性部材６の配設位置で、吸収性コア４が、第１の弾性部材６に沿って屈曲し、おむつ幅方向における、それより外方に位置する部分が、着用者の大腿部の内側の面に概ね沿うように当接する。
これにより、吸収性コア４の、前記各側部領域Ｓ，Ｓに位置する部分（側部片４４）が、補助吸収具１３の両側に確実に存在し、補助吸収具１３の両側から尿が溢れ出したときに、該尿を、該各側部領域Ｓ，Ｓ内の吸収性コア４に確実に吸収させることができる。
【００１９】
また、前記側部領域Ｓに尿検知剤８が配されており、該側部領域Ｓ内の吸収性コア４が尿である程度以上濡れたときに、尿検知剤８に視覚的に視認し得る変化が生じると共に、股下部の全長に亘って第１の弾性部材６と第２の弾性部材７と尿検知剤８とが交差しないように配されているので、補助吸収具１３の両側のどの位置から尿が漏れたとしても、尿検知剤８に変化を生じさせることができ、更に、尿検知剤８に生じた視覚的に視認し得る変化が、第１の弾性部材６と第２の弾性部材７との間が着用者の肌側とは逆方向に凸となるように膨らむこと（図４参照）によって、外部から容易に視認可能である。
【００２０】
このようにして、本実施形態のおむつ１によれば、おむつの適切な取替え時期を容易且つ確実に知ることができる。特に本実施形態のおむつ１のように、尿検知剤８、第１の弾性部材６及び第２の弾性部材７のそれぞれがおむつの長手方向に沿って平行であると、第２の弾性部材７は着用時に鼠蹊部に向かおうとする力が働き、第１の弾性部材６は鼠蹊部で移動しにくいため、第１の弾性部材６と第２の弾性部材７との間が、若干縮まり、一層容易且つ確実に肌側とは逆方向に凸状に膨らみ、尿検知剤８に生じた変化の視認容易性が大幅に向上する。
これに対して、尿検知剤８が、第１の弾性部材６及び／又は第２の弾性部材７と交差していると、尿検知剤８が配された領域が着用者の肌側に食い込んでしまい、尿検知剤８に生じた変化の視認性が低下してしまう。
【００２１】
また、本実施形態のおむつ１においては、少なくとも股下部Ｃにおいて、第１の弾性部材６の収縮力が第２の弾性部材７の収縮力よりも大きいことが好ましい。これにより、第１の弾性部材６が配設された領域が確実に着用者の鼠蹊部１２に位置し、それより外方に位置する部分が、着用者が動いたときでも確実に着用者の大腿部の内側の面に当接した状態を維持できる。その結果、着用者の活動の有無に関わらず、尿検知剤８の高い視認性が達成される。
これに対して、第１の弾性部材６の収縮力が第２の弾性部材７の収縮力よりも小さいと、着用者の大腿部の内側の面に位置していた第２の弾性部材７が鼠蹊部に向かって移動し、尿検知剤８が配された領域Ｒ１を潰してしまうことにより、尿検知剤８の視認性が低下することがある。
【００２２】
（伸長応力測定方法）
おむつを展開状態にした後、股下部Ｃに位置する、第１の弾性部材６が配された領域及び第２の弾性部材７が配設された領域をそれぞれ切り出してサンプルとする。このサンプルを、水平な面上に当接するように載置し、自然に収縮した状態における該サンプルの長手方向（＝おむつ長手方向）の両端部間の長さを測定し、その長さから２０ｍｍを引いた値を自然長とする。具体的には、サンプルの長手方向の一端部における幅方向の中点と他端部における幅方向の中点とを結んだ線の長さを測定し、その値から２０ｍｍを引いて自然長とする。
そして、そのサンプルをたるませて、テンシロン引っ張り試験機〔（株）オリエンテック社製、「ＲＴＣ−１１５０」〕のチャック間に固定し（サンプルの長手方向両端部から１０ｍｍ幅方向内側に入る領域をチャックで留める）、その時の荷重をゼロとする。その後速度３００ｍｍ／ｍｉｎで、サンプルの長手方向（おむつ長手方向と同じ方向）に自然長の１．５倍になるまで伸長させたときの応力を伸長応力とする。尚、自然長の１．５倍になる前に材破した場合には、当該サンプルの伸長応力はゼロとする。
【００２３】
尚、第１の弾性部材６が配設された領域及び第２の弾性部材７が配設された領域は、それぞれ、該領域に配設された弾性部材のおむつ幅方向外側の縁部（複数の弾性部材が配されている場合には最も外側に位置する弾性部材の外側の縁部）とおむつ幅方向内側の縁部（複数の弾性部材が配されている場合には、最も内側に位置する弾性部材の内側の縁部）との間の領域に、該領域の両側縁それぞれから５ｍｍ離間した位置までの領域を加えた領域を切り出して、測定用サンプルとする。
第１の弾性部材６の配設された領域は、おむつの厚さ方向における、表面シート２のすぐ下に配されたシート材（本実施形態では被覆材４６）と裏面シート３との間の全体を切り出す。但し、第１の弾性部材６が配設された領域において、第１の弾性部材６が、吸収性コア４や該コア４と一体化された部材と接合されていない場合は、第１の弾性部材６に接合されていない吸収性コア４や該コア４と一体化された部材は取り除いて、測定用サンプルとする。
【００２４】
上述した視認性向上効果が確実に奏されるようにする観点から、成人用のおむつにおける吸収性コア４の幅の長さＷ（図１参照）は、２０〜４０ｃｍであることが好ましく、３０〜４０ｃｍがより好ましい。また、同様の観点から、吸収性コアの両側縁４１それぞれと第１の弾性部材６との間の距離Ｗ１（図２参照）は、前記長さＷの１０〜３０％、特に１５〜２５％であることが好ましい。成人用のおむつにおける前記距離Ｗ１は２〜１２ｃｍ、特に５〜９ｃｍであることが好ましい。
【００２５】
本実施形態のおむつ１においては、股下部Ｃの幅方向において、尿検知剤８と第１の弾性部材６との間の離間距離Ｗ２（図２参照）及び尿検知剤８と第２の弾性部材７との間の離間距離Ｗ３（図２参照）が、それぞれ、股下部Ｃの全長に亘って５〜５０ｍｍである。
距離Ｗ２及び距離Ｗ３を、５ｍｍ以上とすることで、尿検知剤が配された領域Ｒ１に不規則なシワが発生して尿検知剤の視認性が低下することを防止でき、５０ｍｍ以下とすることで、おむつの着用時に、第１の弾性部材６と第２の弾性部材７との間が、確実に着用者の肌側とは逆方向に凸となるように膨らみ、尿検知剤の視認性を一層向上させることができる。
【００２６】
また、本実施形態のおむつ１においては、図１及び図２に示すように、股下部Ｃにおける吸収性コア４が、おむつ幅方向の中央部に位置する中央片４３と、その両側に位置する側部片４４，４４とに分割されており、中央片４３と左右の側部片４４，４４それぞれとの間が、吸収性コアの欠落部４５となっている。上述した第１の弾性部材６は、各欠落部４５の位置に配設されている。
【００２７】
本実施形態のおむつ１においては、おむつの両側それぞれに形成された欠落部４５，４５がそれぞれ可撓軸となって、吸収性コア４が、図４に示すように、該欠落部４５，４５の位置で容易に屈曲するため、吸収性コア４における、前記各側部領域Ｓ，Ｓに位置する部分が、補助吸収具１３の両側に一層確実に存在し、補助吸収具１３の両側から尿が溢れ出したときに、該尿を、該各側部領域Ｓ，Ｓ内の吸収性コア４に一層確実に吸収させることができる。
更に、欠落部４５を通って、尿が吸収性コア４の長手方向に拡散し易くなるため、広範囲の尿検知剤８に変化を生じさせることができ、おむつの適切な取替え時期を一層容易且つ確実に知ることができる。
【００２８】
また、本実施形態のおむつ１においては、股下部Ｃの幅方向における、第１の弾性部材同士間の領域Ｒ２（図２参照）に、上述した尿検知剤８と同様の組成物からなり且つ尿検知剤８と同様にして塗工された中央部尿検知剤９が配されている。また、中央領域Ｍにおける吸収性コア４には高吸水性ポリマーが配されており、各側部領域Ｓ，Ｓにおける第１の弾性部材６の配置位置より外方には、高吸水性ポリマーが配されていない。より具体的には、前記中央片４３は、パルプ繊維等の繊維材料と高吸水性ポリマーとからなり、前記側部片４４，４４は、パルプ繊維等の繊維材料のみからなる。
【００２９】
中央部尿検知剤９を配することにより、補助吸収具を併用しない場合や表裏面とも液透過性の補助吸収具を用いた場合においても、吸収性コア４が濡れたことを容易に知ることができる。また、吸収性コア４がパルプ繊維等の繊維材料のみからなる場合、おむつが濡れていなくても、補助吸収具に吸収された尿の蒸気で尿検知剤が変化してしまう場合がある。吸収性コア４に高吸水性ポリマーを配することにより、蒸気による尿検知剤の変化を防止することができる。
【００３０】
同様の観点から、吸収性コア４における、前記各側部領域Ｓ，Ｓの第１の弾性部材６の配置位置より外方（幅方向の外方）に位置する部分にも、高吸水性ポリマーを配しても良いが、吸収性コア４における、前記各側部領域Ｓ，Ｓに位置する部分は前記中央領域Ｍに位置する部分よりも水蒸気による変色が生じ難い。そのため、吸収性コア４における、前記各側部領域Ｓ，Ｓの第１の弾性部材６の配置位置より外方に位置する部分には、高吸水性ポリマーを配さないか、配しても中央領域Ｍよりも低坪量となるように配することが、経済性と効果との両立の観点から好ましい。
【００３１】
また、前記各側部領域Ｓ，Ｓの第１の弾性部材６の配置位置より外方に位置する部分に高吸収性ポリマーを配する場合には、吸収性コア４の両側縁４１から幅方向１〜１０（さらに好ましくは２〜５）ｍｍの部分には高吸収性ポリマーを配さないことが好ましい。疎水性のシート材５によってせき止められた尿が吸収性コア４の長手方向に拡散し易くなるため、広範囲の尿検知剤８に変化を生じさせることができ、おむつの適切な取替え時期を一層容易に且つ確実に知ることができるからである。
【００３２】
また、本実施形態のおむつ１においては、おむつ１の両側それぞれにおいて、前記領域Ｒ１に配された尿検知剤８と中央部尿検知剤９との間の離間距離Ｗ４（図２参照）が６０ｍｍ以内であり、前記尿検知剤８と吸収性コアの側縁４１との間の離間距離Ｗ５（図２参照）も６０ｍｍ以内である。これにより、補助吸収具１３の側縁の位置が多少ずれても、補助吸収具１３から溢れた尿を尿検知剤８又は中央部尿検知剤９により検知することができる。尚、本実施形態においては、第１の弾性部材６，６間の領域Ｒ２に、複数本の線状の中央部尿検知剤９が、幅方向に６０ｍｍ以内の間隔で配されており、補助吸収具１３のずれの影響を一層受け難い。
【００３３】
本実施形態のおむつ１の各部の形成材料について説明すると、表面シート２、裏面シート３、ファスニングテープ５０、ランディングゾーン５１の形成材料としては、それぞれ、従来、使い捨ておむつに用いられている各種のものを特に制限なく用いることができる。吸収性コア４も、従来、使い捨ておむつに用いられている各種のものを特に制限なく用いることができ、例えば、パルプ繊維、レーヨン、セルロース、ポリエチレン、ポリプロピレン等の繊維材料の集合体、又はこれらの全体又は一部に高吸水性ポリマーを保持させたもの等を用いることができる。
液の拡散性に優れ、広範囲の尿検知剤８に変化を生じさせることができる点から、吸収性コア４の最下層はパルプ繊維により形成されていることが好ましい。例えば、上下のパルプ繊維層の間に高吸水性ポリマーが保持されている構成などが挙げられる。その場合、おむつの適切な取替え時期を一層容易且つ確実に知ることができる。
【００３４】
吸水性ポリマーとしては、使い捨ておむつ等における吸収性コアに従来用いられているものを特に制限なく用いることができるが、自重の２０倍以上の水分を吸収・保持できるものが好ましく、例えば、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。
【００３５】
第１及び第２の弾性部材６，７の形成素材としては、例えば、天然ゴム、合成ゴム、スパンデックス等を挙げることができ、それぞれの形態としては糸状、帯状、フィルム状等を挙げることができる。第１及び第２の弾性部材６，７は、加工性、コスト等の観点から、糸ゴム又は平ゴムが好ましい。また、疎水性のシート材５としては、例えば、従来裏面シートの形成材料として用いられている各種のシート材等を用いることができる。
【００３６】
本発明は、上述した実施形態に制限されず、本発明の趣旨を逸脱しない範囲で適宜変更可能である。例えば、吸収性コアは、股下部Ｃにおいては中央片と側部片とに分割されている一方、背側部Ａ及び／又は腹側部Ｂにおいては、中央片と側部片とに分割されていないものであっても良い。また、吸収性コアは、その長手方向の全域において、中央片と側部片とに分割されていないものであっても良い。また、吸収性コアは、幅方向に加えて、長手方向においても複数に分割されていても良い。幅方向及び／又は長手方向に分割された吸収性コアの個々の分割片間には、隙間があっても隙間がなくても良い。
【００３７】
また、第１の弾性部材６は、吸収性コア４とその裏面シート３側の面を被覆する被覆材４２との間や、吸収性コア４の欠落部４５における、表面シート２側の被覆材４６と裏面シート３側の被覆材４２との間、更には、吸収性コア４の内部等に配されていても良い。
また、第１の弾性部材６及び第２の弾性部材７は、それぞれ、おむつ１の両側それぞれに１本ずつ又は２本ずつ配されていても良く、両側それぞれに４本以上ずつ配されていても良い。好ましくは１〜４本ずつ配されている。
【００３８】
また、吸収性コア４の表面シート２側の面を被覆する被覆材４６と該吸収性コア４の裏面シート３側の面を被覆する被覆材４２とは、連続する一枚のシート材であっても良いし、別体のシートであっても良い。これらの被覆材４２としては、ティッシュペーパや液透過性の不織布等を用いることが好ましい。特にティッシュペーパは、液の拡散性に優れるため広範囲の尿検知剤８に変化を生じさせることができ、おむつの適切な取替え時期を一層容易且つ確実に知ることができることからより好ましい。
【図面の簡単な説明】
【００３９】
【図１】本発明の一実施形態としての使い捨ておむつを示す平面図である。
【図２】図１のＩＩ−ＩＩ線断面図である。
【図３】図１の使い捨ておむつの使用状態を示す断面図（図２に相当する断面を示す図）である。
【図４】図１の使い捨ておむつの使用状態における鼠蹊部近傍を拡大して示す断面図(図２の左側半部に対応する図)である。
【図５】本発明の他の実施形態における中央領域及び側部領域の区分を示す概略図である。
【図６】従来の使い捨ておむつの使用状態を示す断面図である。
【符号の説明】
【００４０】
１  使い捨ておむつ
２  表面シート
３  裏面シート
４  吸収性コア
４１  側縁
４３  中央片
４４  側部片
４５  欠落部
５  疎水性のシート材
６  第１の弾性部材
７  第２の弾性部材
８  尿検知剤
９  中央部尿検知剤
Ｍ  吸収性コアの両側縁間の領域の中央領域
Ｓ  吸収性コアの両側縁間の領域の側部領域
Ｒ１  第１の弾性部材と吸収性コアの側縁との間の領域
Ａ  背側部
Ｂ  腹側部
Ｃ  股下部
【図１】
2007267942.tif 000003
【図２】
2007267942.tif 000004
【図３】
2007267942.tif 000005
【図４】
2007267942.tif 000006
【図５】
2007267942.tif 000007
【図６】
2007267942.tif 000008